(57)【要約】【課題】汗止め・汗取り効果と通気性を確保することで、顔に流れ落ちた汗をタオルなどでふき取る無駄を省いて作業能率の向上に寄与するとともに、蒸れのない清潔な状態を保持することで、頭皮や毛髪を保護して脱毛を抑え、かつ、悪臭の発生を抑制できるヘルメットの衛生キャップを提供する。【解決手段】衛生キャップ６は、ハンモック３の頭頂接触部３０の内側に対向する頂部６０と、ヘッドバンド４の少なくとも前頭部接触部４０の内側に対向する周縁部６１とを備え、この周縁部６１の一方の面には、該周縁部６１を前頭部接触部４０の内面に固定する第１固定手段７が設けられているとともに、周縁部６１の他方の面には、汗の流れ落ち防止性と通気性を確保して配設された吸汗性を有する複数の凸部８０からなり少なくとも前頭部に接触する前頭部接触凸部８を設ける。【選択図】図１
2007217845.tif 000002
【特許請求の範囲】
【請求項１】
頭の上部を覆う半球殻形状の樹脂製のシェルと、このシェルの内側に設けられた半球殻形状のライナと、このライナの内側に隙間を有して配置され、かつ、懸架バンドを介して前記半球殻形状のシェルに取付けられた頭頂接触部を有するハンモックと、頭部の外周に巻き付けるために前記ハンモックの内側に設けられた前頭部接触部と側頭部接触部および後頭部接触部を有するヘッドバンドと、を備えているヘルメットに装着されるヘルメットの衛生キャップであって、
この衛生キャップが、前記ハンモックの頭頂接触部の内側に対向する頂部と、前記ヘッドバンドの少なくとも前頭部接触部の内側に対向する周縁部とを備え、この周縁部の一方の面には、該周縁部を前記前頭部接触部の内面に固定する第１固定手段が設けられているとともに、周縁部の他方の面には、汗の流れ落ち防止性と通気性を確保して配設された吸汗性を有する複数の凸部からなり少なくとも前頭部に接触する前頭部接触凸部が設けられているヘルメットの衛生キャップ。
【請求項２】
請求項１において、前記第１固定手段が吸熱性および粘着性をもつゲルからなるヘルメットの衛生キャップ。
【請求項３】
請求項１において、前記頂部が、木炭の微粉末を非定着状態で保持した不織布からなるヘルメットの衛生キャップ。
【請求項４】
請求項３において、前記不織布に非定着状態で保持される木炭が白炭であるヘルメットの衛生キャップ。
【請求項５】
請求項１において、前記頂部の内面には、通気性を確保して配設された吸汗性を有する複数の凸部からなる頭頂部接触凸部が設けられているヘルメットの衛生キャップ。
【請求項６】
請求項１において、前記頂部の外面には、該頂部を前記ハンモックの頭頂接触部の内面に固定する第２固定手段が設けられているとともに、この頂部と前記周縁部とが可撓帯で互いに連結されているヘルメットの衛生キャップ。
【請求項７】
請求項６において、前記第２固定手段が吸熱性および粘着性をもつゲルからなるヘルメットの衛生キャップ。
【請求項８】
請求項１または請求項５において、前記複数の凸部には、木炭が内装されているヘルメットの衛生キャップ。
【請求項９】
請求項１ないし８のいずれか１項において、前記前頭部接触凸部は、前記周縁部の周方向に沿った横長で、かつ、前記周方向に互いに離間して配置された第１の凸部群と、前記第１の凸部群から周縁部の下方に離間し、かつ、前記周方向に沿った横長で、かつ、前記周方向に互いに離間した第２の凸部群とを備え、前記第１の凸部群の第１凸部と第２の凸部群の第２凸部とが当該凸部の端部において前記周方向に互いに重複しており、このように重複していることで上方から流れる汗を第１凸部または第２凸部の一方で受け止めることが可能であり、
前記のように離間していることで通気を可能としたことを特徴とするヘルメットの衛生キャップ。
【請求項１０】
請求項９において、前記各凸部は端部に近づくに従い上方となるように概ね逆「へ」の字状であることを特徴とするヘルメットの衛生キャップ。
【発明の詳細な説明】
【技術分野】
【０００１】
本発明は、ヘルメットの衛生キャップに係り、特に、工事用のヘルメットへの装着に好適な衛生キャップに関するものである。
【背景技術】
【０００２】
従来より、作業中に吹き出す頭部の汗を吸収する汗取り効果によって、汗が顔に流れ落ちるのを抑えることでタオルなどで顔をふき取る無駄を省いて作業能率の向上に寄与し、通気性を高めることで頭部の蒸れを防いで脱毛予防効果をあげるとともに、悪臭が発生するのを抑えて消臭効果を高めるようにしたヘルメットは公知であり（特許文献１）、着用時の通気性を確保するとともに、頭部への衝撃を緩衝し、かつ、摩擦抵抗を高めて頭部からの脱落を防止する軟質帯状体を用いた帽子は公知である（特許文献２）。また、ヘルメットの内装部材に取付けられるヘルメット用汗取りパッドは公知である（特許文献３）。
【特許文献１】特開平８−１５８１３５公報
【特許文献２】特開平１０−３４７７９公報
【特許文献３】実用新案登録第３０７７０１５号公報
【０００３】
前記特許文献１に記載のヘルメットは、綿製のキャップに設けた大径孔と複数の小径孔とでヘルメット内の通気性を確保して蒸れを防ぐようにしている。しかし、前記キャップの下縁を挿入した綿またはスポンジ製の汗吸収帯が頭部に略面接触するので、汗吸収帯と頭部との隙間から外気を積極的にヘルメット内に導入することはできない。したがって、高い通気性が得られないので、頭部に蒸れが生じ易く高い脱毛予防効果を期待できない上に悪臭発生の原因にもなる。また、前記汗吸収帯には、複数の孔を上下で千鳥状に齟齬させ、これらの孔で汗を受け止めるようにしているものの、上段の孔と下段の孔は、それらが上下方向で重なり合わない配置パターンで齟齬しているので、上段の孔と下段の孔との間に上下方向に垂直に連なる部位が形成される。そのため、頭部の汗の一部は前記上下方向に垂直に連なる部位を通って顔に流れ落ちることになる。すなわち、特許文献１に記載のヘルメットでは、優れた汗止め効果と高い通気性を期待できないので、顔に流れ落ちた汗をタオルなどでふき取る無駄を生じて作業能率の向上を妨げるとともに、蒸れによって衛生状態が低下し、これが頭皮や毛髪に悪影響をおよぼして脱毛を促進するように作用するばかりか、悪臭を発生させることが懸念される。
【０００４】
一方、前記特許文献２に記載の軟質帯状体を用いた帽子は、軟質材料からなる周縁部の一方の面に多数の突出部を形成し、これら多数の突出部に頭部を接触させるようにしているので、軟質帯状体と頭部の間に隙間が形成される。そのため、この隙間から外気を積極的に帽子の内部に導入できるので高い通気性が得られる。しかし、頭部の汗は前記隙間を通って顔に流れ落ちることになる。すなわち、特許文献２に記載の軟質帯状体を用いた帽子は、高い通気性を確保できるものの、優れた汗止め効果を期待できないので、顔に流れ落ちる汗をタオルなどでふき取る無駄が生じて作業能率の向上を妨げる欠点を有している。なお、多数の突出部の形成密度を極限まで高めて、隣接する突出部同士を互いに接触させることで、汗止め効果をあげることができる。しかし、通気性が全く損なわれることになる。
【０００５】
他方、前記特許文献３に記載のヘルメット用汗取りパッドは、帯状の吸水性布地と、これと一体で裏側にある支持部材とからなるケースの挿入口から吸水性と保水性のある汗取り部材を挿入しているので、これをヘルメットの内装部材に取付けることで、当該汗取りパッドはヘルメット着用者の前頭部から側頭部にかけて面接触することになる。そのため、優れた汗止め効果により、汗が顔に流れ落ちるのを抑えることでタオルなどで顔をふき取る無駄を省いて作業能率の向上に寄与することができる。しかし、汗取りパッドと頭部との隙間から外気を積極的にヘルメット内に導入することはできない。したがって、高い通気性が得られないので頭部に蒸れが生じ易く高い脱毛予防効果を期待できない上に悪臭発生の原因にもなる。
【発明の開示】
【０００６】
したがって、本発明の目的は、優れた汗止め・汗取り効果と高い通気性を確保することで、顔に流れ落ちた汗をタオルなどでふき取る無駄を省いて作業能率の向上に寄与するとともに、蒸れのない清潔な状態の保持により頭皮や毛髪を保護して脱毛を抑え、かつ、悪臭の発生を抑制できるヘルメットの衛生キャップを提供することである。
【０００７】
本発明のヘルメットの衛生キャップは、第１固定手段を介してヘッドバンドの少なくとも前頭部接触部の内面に周縁部を固定することによって、周縁部をヘルメットに装着できる。これにより、周縁部の他方の面に設けた汗の流れ落ち防止性と通気性を確保して配設された吸汗性を有する複数の凸部からなる前頭部接触凸部が、ヘルメット着用者の少なくとも前頭部に接触することになるので、前頭部において優れた汗止め・汗取り効果を発揮するとともに、高い通気性を確保することによって外気を積極的にヘルメット内に導入することができる。したがって、顔に流れ落ちた汗をタオルなどでふき取る無駄を省いて作業能率の向上に寄与するとともに、蒸れのない清潔な状態を保持できるので、頭皮や毛髪を保護して脱毛を抑え、かつ、悪臭の発生を抑制することができる。
【０００８】
本発明のヘルメットの衛生キャップは、吸熱性および粘着性をもつゲルからなる第１固定手段によって、前記周縁部をヘルメットのヘッドバンドにおける少なくとも前頭部接触部の内面に固定できるので、ゲルの吸熱性と前記複数の凸部からなる前頭部接触凸部との協働により過不足のない冷却効果でヘルメット着用者の少なくとも前頭部を冷却して爽快感を与えることができる。また、ゲルの衝撃吸収作用によって少なくとも前頭部を保護することができるとともに、ゲルは少なくとも前頭部に沿って容易に変形するのでフイット性がよくなる。しかも、ゲルの粘着性によって得られる高い保持力により周縁部の位置ずれを防止して、前頭部接触凸部を少なくとも前頭部に常時正確に接触させることができるばかりか、衛生キャップの交換に際しては、ゲルの粘着性に抗して前頭部接触部から周縁部を容易に剥がすことができるとともに、周縁部が剥がされた前頭部接触部に粘着成分が残存しないので、前頭部接触部のベト付きおよびこのベト付きに起因する異物の付着などを回避して、衛生状態の低下を抑制できる。
【０００９】
本発明のヘルメットの衛生キャップは、木炭の微粉末を非定着状態で保持した不織布からなる頂部と周縁部がヘルメット着用者の頭頂部および少なくとも前頭部に接触するので、不織布固有の吸水性および保水性により、頭頂部の汗を効率よく吸収する汗取り効果が得られる。また、木炭の微粉末が非定着状態で不織布に保持されていることによって、木炭の微粉末が頭頂部に降り注ぐシャワー効果が得られる。そのため、空気中のプラスイオンを減少させるマイナスイオン効果によって、頭皮への刺激を和らげて頭皮を保護し、かつ、疲労感やストレスを鎮静する効果を発揮することができるとともに、シャンプーに際して木炭の微粉末により頭部の皮脂成分を積極的に除去できる。したがって、頭皮や毛髪を保護して脱毛を抑え、かつ、木炭の微粉末の消臭作用によって悪臭の発生を抑制できる。
【００１０】
本発明のヘルメットの衛生キャップは、前記不織布に非定着状態で保持される木炭として白炭を使用することが望ましい。これによると、白炭の微粉末が頭頂部に降り注ぐことになるので、毛髪や頭皮が黒色に染まるのを避けることができる。
【００１１】
本発明のヘルメットの衛生キャップは、頂部の内面に通気性を確保して配設された吸汗性を有する複数の凸部からなる頭頂部接触凸部がヘルメット着用者の頭頂部に接触することになるので、頭頂部において優れた汗止め・汗取り効果と高い通気性を確保して、頭頂部を蒸れのない清潔な状態に保持し、頭頂部の頭皮や毛髪を保護して脱毛を抑え、かつ、頭頂部での悪臭の発生を抑制することができる。
【００１２】
本発明のヘルメットの衛生キャップは、第２固定手段を介してハンモックの頭頂接触部の内面に頂部を固定することによってヘルメットに装着できる。また、頂部と前記周縁部とが可撓帯で互いに連結されていることにより、ヘルメット着用者の頭部のサイズに応じて周縁部の周方向長さが可変する。
【００１３】
本発明のヘルメットの衛生キャップは、吸熱性および粘着性をもつゲルからなる第２固定手段によって、前記頂部がヘルメットのハンモックにおける頭頂接触部の内面に固定されるので、ゲルの吸熱性と前記複数の凸部からなる頭頂部接触凸部との協働により過不足のない冷却効果でヘルメット着用者の頭頂部を冷却して爽快感を与えることができる。また、ゲルの衝撃吸収作用によって頭頂部を保護することができるとともに、ゲルは頭頂部に沿って容易に変形するのでフイット性がよくなる。しかも、ゲルの粘着性によって得られる高い保持力により頂部の位置ずれを防止して、頭頂部接触凸部を頭頂部に常時正確に接触させることができるばかりか、衛生キャップの交換に際しては、ゲルの粘着性に抗して頭頂接触部から頂部を容易に剥がすことができるとともに、頂部が剥がされた頭頂接触部に粘着成分が残存しないので、頭頂接触部のベト付きおよびこのベト付きに起因する異物の付着などを回避して、衛生状態の低下を抑制できる。
【００１４】
本発明のヘルメットの衛生キャップは、前記複数の凸部に内装している木炭により、空気中のプラスイオンを減少させるマイナスイオン効果が生じて、頭皮への刺激を和らげて頭皮を保護し、かつ、疲労感やストレスを鎮静する効果を発揮することができる。また、木炭の消臭作用によって悪臭の発生を抑制できるとともに、吸湿効果も期待できる。なお、前記複数の凸部に内装している木炭としては、白炭よりも消臭性および吸湿性に優れている黒炭の使用が推奨される。
【発明を実施するための最良の形態】
【００１５】
以下、本発明の一実施形態を図面にしたがって説明する。
図１Ａおよび図１Ｂにおいて、工事用ヘルメットＨは、シェル１、ライナ２、ハンモック３、ヘッドバンド４および工事用ヘルメットＨの脱落を防ぐアゴひも５を備えている。
【００１６】
シェル１は樹脂製のもので、ヘルメットＨ着用者の頭頂部と側頭部を覆う半球殻形状の本体部１０と、この本体部１０から前方に突出する庇部１１とが一体に形成されている。
【００１７】
ライナ２は、たとえば発泡スチロールからなる半球殻形状の衝撃吸収部材であり、本体部１０の内側に設けられている。
【００１８】
ハンモック３は、ライナ２の内側に隙間を有して配置される頭頂接触部３０を有し、この頭頂接触部３０は複数の懸架バンド３１を介してシェル１における半球殻形状の本体部１０の周縁部内側に取付けられている。
【００１９】
ヘッドバンド４は、ヘルメットＨ着用者の頭部の外周を巻き付けるためにハンモック３の内側に脱落不能に設けられており、前頭部接触部４０と、互いに対向する側頭部接触部４１と、後頭部接触部４２とを有する環状のもので、その周方向の長さは、長さ調整手段４３によって調整可能になっている。
【００２０】
衛生キャップ６は、ハンモック３の頭頂接触部３０の内側に対向する頂部６０と、ヘッドバンド４の前頭部接触部４０、側頭部接触部４１および後頭部接触部４２の内側に対向する周縁部６１とを備えた環状のもので（ただし、図１では、後頭部接触部４２の内側に対向する部分の図示を省略した馬蹄形の周縁部６１が示されている）、頂部６０および周縁部６１は、吸水性と保水性および通気性を有する高分子繊維からなる不織布製のものであって、頂部６０の不織布には白炭の微粉末が非定着状態で保持されている。なお、白炭とは、７５０℃〜１１００℃の高温で製造された木炭をいう。また、白炭を容器内の水に分散させておき、その水に頂部６０を浸漬することによって、白炭の微粉末は、頂部６０からの脱落を可能な非定着状態で頂部６０に保持される。
【００２１】
頂部６０と周縁部６１は、複数の可撓帯６２で互いに連結されている。これにより、ヘルメットＨ着用者の頭部のサイズに応じて周縁部６１の周方向長さが可変する。
【００２２】
図２Ａ，図２Ｂに示すように、前記周縁部６１において、ヘッドバンド４（図１参照）の前頭部接触部４０の内側に対向する部位の外面には第１固定手段７が設けられ、前頭部接触部４０の内側に対向する部位の内面にはヘルメットＨ着用者の前頭部に接触する前頭部接触凸部８が設けられている。
【００２３】
第１固定手段７は、針入度が２０〜２００の範囲に設定されたシリコーンゲルからなり、たとえば、両面テープなどの貼着手段（図示省略）を介して周縁部６１の外面に貼り着けられており、前頭部接触凸部８は複数の凸部８０からなる。これら複数の凸部８０は、横方向の中央部が少し窪み、中央部から横方向両端部にかけて緩やかな上がり勾配を有して傾斜するブーメラン状のもので、これらが上下２段で千鳥状に齟齬しているとともに、上段の凸部８０ａと下段の凸部８０ｂは、それらが上下方向で重なり合う部位Ｌが生じるようになっている。したがって、実線矢印Ｆ１で示す汗の流下は、複数の凸部８０によって確実に受け止められるとともに、破線矢印Ｆ２で示す経路の通気路が形成されることになる。
【００２４】
すなわち、前頭部接触凸部８は、上段の凸部（第１凸部）８０ａからなる第１の凸部群と、下段の凸部（第２凸部）８０ｂからなる第２の凸部群を備えている。前記第１の凸部群は、それぞれ、周縁部６１の周方向Ｗに沿った横長で、かつ、周方向Ｗに互いに離間して配置されている。一方、前記第２の凸部群は、周縁部６１の周方向Ｗに沿った横長で、かつ、周方向Ｗに互いに離間して第１凸部群の下方に配置されている。
前記第１の凸部群の第１凸部８０ａと第２の凸部群の第２凸部８０ｂとは、当該凸部８０ａ，８０ｂの端部において前記周方向Ｗに互いに重複している。このように重複していることで上方から流れる汗を第１凸部８０ａまたは第２凸部８０ｂの一方で受け止めることが可能であり、前記のように離間していることで通気が良好になっている。
【００２５】
一方、前記各凸部８０ａ，８０ｂは端部に近づくに従い上方となるように概ね逆「へ」の字状に形成されている。したがって、実線矢印Ｆ１で示す汗は、各凸部８０ａ，８０ｂに受け止められ、該凸部８０ａ，８０ｂの周方向Ｗの中央に向って流れる間に該凸部８０に吸収される。
【００２６】
前頭部接触凸部８は、複数の凸部８０を設けた表地８４からなり、この表地８４は、吸水性と保水性および通気性を有する高分子繊維からなる不織布により構成されている。表地８４は、複数の凸部８０を除いて周縁部６１に対して溶着されている。これにより、前記実線矢印Ｆ１で示す汗の流下路Ｆ１と破線矢印Ｆ２で示す経路の通気が形成されることになる。また、複数の凸部８０と周縁部６１とで囲まれる空間には、杉や松などの廃棄木材を素材とした木炭を粉砕して製造した木炭粉９を内装してある。
【００２７】
図３Ａ，図３Ｂにおいて、前記頂部６０の外面、つまり、ヘルメットＨのハンモック３における頭頂接触部３０に対向する面には、該頂部６０を頭頂接触部３０の内面に固定する第２固定手段７０が設けられ、頂部６０の内面には、ヘルメットＨ着用者の頭頂部に接触する頭頂部接触凸部７１が設けられている。
【００２８】
第２固定手段７０は、針入度が２０〜２００の範囲に設定されたシリコーンゲルからなり、たとえば、両面テープなどの貼着手段（図示省略）を介して頂部６０の外面に貼り着けられており、頭頂部接触凸部７１は、複数の同心円上において円周方向の間隔を隔てて配置した複数の円弧状の凸部７４からなる。したがって、複数の円弧状の凸部７４の間に、矢印Ｆ３で示す経路の通気路が形成される。なお、図３Ａにおいて、７２は透孔を示す。
【００２９】
頭頂部接触凸部７１は、複数の円弧状の凸部７４を設けた表地７５からなる。この表地７５は、吸水性と保水性および通気性を有する高分子繊維からなる不織布製のもので、白炭の微粉末を非定着状態で保持している。表地７５は、複数の円弧状の凸部７４を除いて頂部６０に対して溶着されている。これにより、前記矢印Ｆ３で示す経路の通気路が形成されることになる。また、複数の円弧状の凸部７４と頂部６０とで囲まれる空間には、杉や松などの廃棄木材を素材とした木炭を粉砕して製造した木炭粉９を内装してある。
【００３０】
前記第１固定手段７および第１固定手段７０を構成しているシリコーンゲルの針入度が２０未満であると柔軟度が過剰になって、衝撃吸収作用が低下し、シリコーンゲルの針入度が２００を超えると柔軟性が失われて、フイット性が損なわれるので、針入度を２０〜２００の範囲に設定した柔らかいシリコーンゲルを用いることが推奨される。
【００３１】
図１Ａ，図１Ｂおよび図２Ａ，図２Ｂにおいて、衛生キャップ６は、第１固定手段７を介してヘッドバンド４の前頭部接触部４０の内面に周縁部６１を固定するとともに、第２固定手段７０を介してハンモック３の頭頂接触部３０の内面に頂部６０を固定することによってヘルメットＨに装着される。
【００３２】
衛生キャップ６が装着されたヘルメットＨを着用すると、複数の凸部８０からなる前頭部接触凸部８がヘルメットＨ着用者の前頭部に接触する。そのため、矢印Ｆ１で示す頭頂部から前頭部に流下する汗は、複数の凸部８０によって確実に受け止められ、受け止められた汗は、さらに、吸水性と保水性を有する高分子繊維からなる不織布製の表地８４に吸着保持されるので顔に流れ落ちることはない。したがって、顔に流れ落ちた汗をタオルなどでふき取る無駄を省いて作業能率の向上に寄与することができる。また、矢印Ｆ２で示す経路の通気路が形成されることによって、外気を積極的にヘルメットＨ内に導入できる。そのため、蒸れのない清潔な状態を保持して、頭皮や毛髪を保護して脱毛を抑え、かつ、悪臭の発生を抑制することができる。
【００３３】
一方、複数の凸部８０に内装されている木炭粉９の放気効果によって、空気中のプラスイオンを減少させるマイナスイオン効果が生じて、ヘルメットＨ着用者の前頭部への刺激を和らげて前頭部を保護し、かつ、疲労感やストレスを鎮静する効果を発揮することができるとともに、消臭作用によって悪臭の発生を抑制できる。なお、複数の凸部８０に内装する木炭粉９としては、白炭よりも消臭性および吸湿性に優れている黒炭の使用が推奨される。
【００３４】
周縁部６１は、吸熱性および粘着性をもつシリコーンゲルからなる第１固定手段７によって前頭部接触部４０の内面に固定されているので、シリコーンゲルの吸熱性と複数の凸部８０からなる前頭部接触凸部８との協働により過不足のない冷却効果でヘルメットＨ着用者の前頭部を冷却して爽快感を与えることができる。すなわち、複数の凸部８０は、ヘルメットＨ着用者の前頭部に対して略線接触することにより接触面積が縮小されるので、前頭部が過剰に冷却されるのを回避し、前頭部を好適に冷却して爽快感を与えることが可能になる。また、シリコーンゲルの衝撃吸収作用によってヘルメットＨ着用者の前頭部を保護することができるとともに、シリコーンゲルは前頭部に沿って容易に変形するのでフイット性がよくなる。しかも、シリコーンゲルの粘着性によって得られる高い保持力により前頭部接触部４０に対する周縁部６１の位置ずれを防止して、前頭部接触凸部８を前頭部に常時正確に接触させることができるばかりか、衛生キャップ６の交換に際しては、シリコーンゲルの粘着性に抗して前頭部接触部４０から周縁部６１を容易に剥がすことができるとともに、周縁部６１が剥がされた前頭部接触部４０に粘着成分が残存しないので、前頭部接触部４０のベト付きおよびこのベト付きに起因する異物の付着などを回避して、衛生状態の低下を抑制できる。
【００３５】
衛生キャップ６が装着されたヘルメットＨを着用すると、図３Ａ，図３Ｂに示す複数の円弧状の凸部７２からなる頭頂部接触凸部７１がヘルメットＨ着用者の頭頂部９１に接触する。そのため、ヘルメットＨ着用者の頭頂部９１と頂部６０の間に矢印Ｆ３で示す経路の通気路が形成されるので、高い通気性を確保して頭頂部９１を蒸れのない清潔な状態に保持し、頭頂部９１の頭皮や毛髪を保護して脱毛を抑え、かつ、頭頂部９１での悪臭の発生を抑制することができる。また、頭頂部９１から汗が吹き出でも、この汗を吸水性と保水性を有する高分子繊維からなる不織布製の表地７５によって吸着保持できるので、前頭部や側頭部および後頭部などに流下するのを防止できる。
【００３６】
一方、頂部６０と表地７５に非定着状態で保持されている白炭の微粉末が頭頂部９１に降り注ぐシャワー効果が得られる。このシャワー効果と、複数の円弧状の凸部７４に内装されている木炭粉９の放気効果との複合効果によって、空気中のプラスイオンを減少させるマイナスイオン効果が生じて、ヘルメットＨ着用者の頭頂部９１への刺激を和らげて頭頂部９１を保護し、かつ、疲労感やストレスを鎮静する効果を発揮することができるとともに、消臭作用によって悪臭の発生を抑制できる。しかも、白炭の微粉末が頭頂部９１に降り注いでも、シャンプーに際して毛髪や頭皮などが汚れることはない。なお、複数の円弧状の凸部７４に内装する木炭粉９としては、白炭よりも消臭性および吸湿性に優れている黒炭の使用が推奨される。
【００３７】
頂部６０は、吸熱性および粘着性をもつシリコーンゲルからなる第２固定手段７０によってハンモック３における頭頂接触部３０の内面に固定されるので、シリコーンゲルの吸熱性と複数の円弧状の凸部７２からなる頭頂部接触凸部７１との協働により過不足のない冷却効果でヘルメットＨ着用者の頭頂部９１を冷却して爽快感を与えることができる。すなわち、複数の円弧状の凸部７４は、ヘルメットＨ着用者の頭頂部９１に対して略線接触することにより接触面積が縮小されるので、頭頂部９１が過剰に冷却されるのを回避し、頭頂部９１を好適に冷却して爽快感を与えることが可能になる。また、シリコーンゲルの衝撃吸収作用によって頭頂部９１を保護することができるとともに、シリコーンゲルは頭頂部９１に沿って容易に変形するのでフイット性がよくなる。しかも、シリコーンゲルの粘着性によって得られる高い保持力により頭頂接触部３０に対する頂部６０の位置ずれを防止して、頭頂部接触凸部７１を頭頂部９１に常時正確に接触させることができるばかりか、衛生キャップ６の交換に際しては、シリコーンゲルの粘着性に抗して頭頂接触部３０から頂部６０を容易に剥がすことができるとともに、頂部６０が剥がされた頭頂接触部３０に粘着成分が残存しないので、頭頂接触部３０のベト付きおよびこのベト付きに起因する異物の付着などを回避して、衛生状態の低下を抑制できる。
【００３８】
なお、前記実施形態の衛生キャップ６は、頂部６０と周縁部６１とを複数の可撓帯６２で互いに連結しているが、頂部６０と周縁部６１とを備えた帽体型の衛生キャップ６であってもよい。また、頂部６０と周縁部６１とを複数の可撓帯６２で互いに連結した構造の衛生キャップ６であれば、前記実施形態で説明した環状の周縁部６１に代えて、欠円部を有する略馬蹄形の周縁部６１を使用し、この略馬蹄形の周縁部６１と頂部６０とを複数の可撓帯６２で互いに連結した構造であってもよい。さらに、周縁部６１の周方向の長さをヘルメットＨ着用者の前頭部の横方向の長さ程度に短縮した構造であってもよい。そして、周縁部６１の周方向の長さの如何を問わず、その外面の全域に、シリコーンゲルからなる第１固定手段７を設けてもよい。
【図面の簡単な説明】
【００３９】
【図１】本発明の一実施形態の分解斜視図を示し、図１Ａは衛生キャップの斜視図であり、図１Ｂはヘルメットの斜視図である。
【図２】本発明の衛生キャップにおける周縁部の一実施形態を示し、図２Ａは周縁部の一部を拡大して示す正面図であり、図２Ｂは図２Ａの横断平面図である。
【図３】本発明の衛生キャップにおける頂部の一実施形態を示し、図３Ａは頂部を拡大して示す下面図であり、図３Ｂは頂部の使用状態を図３ＡのIIIB〜IIIB線断面で示す説明図である。
【符号の説明】
【００４０】
Ｈ：ヘルメット
Ｗ：周方向
１：シェル
２：ライナ
３：ハンモック
４：ヘッドバンド
６：衛生キャップ
７：第１固定手段
８：前頭部接触凸部
９：木炭粉
１０：本体部
１１：庇部
３０：頭頂接触部
３１：懸架バンド
４０：前頭部接触部
４１：側頭部接触部
４２：後頭部接触部
６０：頂部
６１：周縁部
６２：可撓帯
７０：第２固定手段
７１：頭頂部接触凸部
８０：複数の凸部
８０ａ：第１凸部
８０ｂ：第２凸部
【図１】
2007217845.tif 000003
【図２】
2007217845.tif 000004
【図３】
2007217845.tif 000005
【手続補正書】
【提出日】平成18年7月10日(2006.7.10)
【手続補正１】
【補正対象書類名】特許請求の範囲
【補正対象項目名】全文
【補正方法】変更
【補正の内容】
【特許請求の範囲】
【請求項１】
頭の上部を覆う半球殻形状の樹脂製のシェルと、このシェルの内側に設けられた半球殻形状のライナと、このライナの内側に隙間を有して配置され、かつ、懸架バンドを介して前記半球殻形状のシェルに取付けられた頭頂接触部を有するハンモックと、頭部の外周に巻き付けるために前記ハンモックの内側に設けられた前頭部接触部と側頭部接触部および後頭部接触部を有するヘッドバンドと、を備えているヘルメットに装着されるヘルメットの衛生キャップであって、
この衛生キャップが、前記ハンモックの頭頂接触部の内側に対向する頂部と、前記ヘッドバンドの少なくとも前頭部接触部の内側に対向する周縁部とを備え、この周縁部の一方の面には、該周縁部を前記前頭部接触部の内面に固定する第１固定手段が設けられているとともに、周縁部の他方の面には、汗の流れ落ち防止性と通気性を確保して配設された吸汗性を有する複数の凸部からなり少なくとも前頭部に接触する前頭部接触凸部が設けられており、
前記頂部の外面には、該頂部を前記ハンモックの頭頂接触部の内面に固定する第２固定手段が設けられているとともに、この頂部と前記周縁部とが可撓帯で互いに連結されているヘルメットの衛生キャップ。
【請求項２】
請求項１において、前記第１固定手段が吸熱性および粘着性をもつゲルからなるヘルメットの衛生キャップ。
【請求項３】
請求項１において、前記頂部が、木炭の微粉末を非定着状態で保持した不織布からなるヘルメットの衛生キャップ。
【請求項４】
請求項３において、前記不織布に非定着状態で保持される木炭が白炭であるヘルメットの衛生キャップ。
【請求項５】
請求項１において、前記頂部の内面には、通気性を確保して配設された吸汗性を有する複数の凸部からなる頭頂部接触凸部が設けられているヘルメットの衛生キャップ。
【請求項６】
請求項１ないし５のいずれか１項において、前記第２固定手段が吸熱性および粘着性をもつゲルからなるヘルメットの衛生キャップ。
【請求項７】
請求項１または請求項５において、前記複数の凸部には、木炭が内装されているヘルメットの衛生キャップ。
【請求項８】
頭の上部を覆う半球殻形状の樹脂製のシェルと、このシェルの内側に設けられた半球殻形状のライナと、このライナの内側に隙間を有して配置され、かつ、懸架バンドを介して前記半球殻形状のシェルに取付けられた頭頂接触部を有するハンモックと、頭部の外周に巻き付けるために前記ハンモックの内側に設けられた前頭部接触部と側頭部接触部および後頭部接触部を有するヘッドバンドと、を備えているヘルメットに装着されるヘルメットの衛生キャップであって、
この衛生キャップが、前記ハンモックの頭頂接触部の内側に対向する頂部と、前記ヘッドバンドの少なくとも前頭部接触部の内側に対向する周縁部とを備え、この周縁部の一方の面には、該周縁部を前記前頭部接触部の内面に固定する第１固定手段が設けられているとともに、周縁部の他方の面には、汗の流れ落ち防止性と通気性を確保して配設された吸汗性を有する複数の凸部からなり少なくとも前頭部に接触する前頭部接触凸部が設けられており、
前記前頭部接触凸部は、前記周縁部の周方向に沿った横長で、かつ、前記周方向に互いに離間して配置された第１の凸部群と、前記第１の凸部群から周縁部の下方に離間し、かつ、前記周方向に沿った横長で、かつ、前記周方向に互いに離間した第２の凸部群とを備え、前記第１の凸部群の第１凸部と第２の凸部群の第２凸部とが当該凸部の端部において前記周方向に互いに重複しており、このように重複していることで上方から流れる汗を第１凸部または第２凸部の一方で受け止めることが可能であり、
前記のように離間していることで通気を可能としたことを特徴とするヘルメットの衛生キャップ。
【請求項９】
請求項８において、前記各凸部は端部に近づくに従い上方となるように概ね逆「へ」の字状であることを特徴とするヘルメットの衛生キャップ。